(57)【要約】【課題】美観を向上させることができ、ペットが通行口をスムーズに通り抜けることができるドア及びドア装置を提供する。【解決手段】ドアは、ペットが通り抜け可能な矩形状の通行口が設けられているドア本体と、前記通行口の上縁に沿う枢軸周りに揺動し、前記通行口を開閉する小扉と、該小扉を施錠するための施錠機構とを備え、前記施錠機構は、前記小扉から前記ドア本体の一面に沿う横方向に出没可能に前記小扉の内部に組み込まれている棒状体と、前記小扉が閉じている場合の該小扉の下端から前記小扉の一面に沿う方向に突出するよう前記棒状体に突設されており、該棒状体を出没させる場合に操作される操作突起と、前記小扉が閉じている場合に前記棒状体が対向する前記ドア本体の一部に設けられており、前記棒状体の前記小扉からの突出部分が挿脱されるロック穴とを有し、前記突出部分が前記ロック穴に挿入されることによって前記小扉が施錠される。【選択図】図２
2018168572.tif 000002
【特許請求の範囲】
【請求項１】
ペットが通り抜け可能な矩形状の通行口が設けられているドア本体と、
前記通行口の上縁に沿う枢軸周りに揺動し、前記通行口を開閉する小扉と、
該小扉を施錠するための施錠機構と
を備えるドアにおいて、
前記施錠機構は、
前記小扉から前記ドア本体の一面に沿う横方向に出没可能に前記小扉の内部に組み込まれている棒状体と、
前記小扉が閉じている場合の該小扉の下端から前記小扉の一面に沿う方向に突出するよう前記棒状体に突設されており、該棒状体を出没させる場合に操作される操作突起と、
前記小扉が閉じている場合に前記棒状体が対向する前記ドア本体の一部に設けられており、前記棒状体の前記小扉からの突出部分が挿脱されるロック穴と
を有し、
前記突出部分が前記ロック穴に挿入されることによって前記小扉が施錠されることを特徴とするドア。
【請求項２】
前記小扉は、
可撓性を有し、通行口の縦長さ及び横幅と同程度の縦長さ及び横幅を有するシートと、
夫々の一面が互いに対向しており、夫々の前記一面の一部の間に、前記小扉が閉じている場合の前記シートの下部を挟むようにして前記シートに取り付けられ、夫々の前記一面の他部の間に前記棒状体が配されている２枚の取付板と、
該取付板の前記他部に設けられており、前記横方向に延びる案内溝と
を備え、
前記棒状体は、前記案内溝に摺動可能に支持されている案内突起を備え、
２枚の前記取付板の間から前記操作突起が突出していることを特徴とする請求項１に記載のドア。
【請求項３】
前記小扉は、
前記取付板の他面及び前記小扉が閉じている場合の前記取付板の上端面に亘って前記取付板を覆う化粧部材
を更に備えることを特徴とする請求項２に記載のドア。
【請求項４】
人間が通り抜け可能な出入口が設けられている壁体、及び
請求項１から３の何れか一項に記載のドア
を備え、
前記ドア本体は、前記出入口を開閉可能に前記壁体に取り付けられているドア装置であって、
前記小扉が閉じている場合の該小扉の下側に、前記操作突起の前記横方向の両側に指を挿入することが可能な空間が設けられていることを特徴とするドア装置。
【発明の詳細な説明】
【技術分野】
【０００１】
本発明は、ペットが通り抜けられるドア及びドア装置に関する。
【背景技術】
【０００２】
従来、扉（ドア本体）とペット用扉（小扉）とを備える消臭ドア（ドア）が提案されている（特許文献１参照）。
特許文献１に記載の消臭ドアの場合、ペットが通り抜け可能な矩形状の開口部（通行口）が扉に設けられている。ペット用扉の上部は、蝶番によって開口部の上縁に連結されている。ペット用扉は、蝶番を中心として揺動し、開口部を開閉する。ペットはペット用扉を押し開けて開口部を通り抜ける。ペットの通り抜け後、ペット用扉は自然に閉じる。
【０００３】
特許文献１に記載の消臭ドアはペット用扉鍵を備え、ペット用扉鍵は棒状体及び鍵穴（ロック穴）を備える。棒状体は、ペット用扉の一面に向かって左右方向にペット用扉から出没可能に、ペット用扉の一面に取り付けられている。鍵穴は、扉の一面に取り付けられた部材に形成されている。
棒状体はノブ（操作突起）を有する。ノブは、ペット用扉の一面に向かって手前側に向けて棒状体から突出している。ペット用扉が閉じている場合に使用者がノブを操作することによって、棒状体がペット用扉から突出し、棒状体のペット用扉からの突出部分が鍵穴に挿入される。この結果、ペット用扉が施錠される。
【先行技術文献】
【特許文献】
【０００４】
【特許文献１】特開２００２−３８８４３号公報
【発明の概要】
【発明が解決しようとする課題】
【０００５】
特許文献１に記載の消臭ドアが備えるペット用扉鍵の場合、棒状体はペット用扉の一面に配されており、鍵穴は扉の一面に配されている。故に、棒状体及び鍵穴が悪目立ちして、消臭ドアの美観を損ねる虞がある。
また、ノブは、ペット用扉を押し開けて開口部を通り抜けるペットに向けて突出する。故に、ノブがペットの通り抜けを阻害し得る。特に、ペットが首輪又は衣類等の物品を身に着けている場合は、ペットが身に着けている物品にノブが引っ掛かる虞がある。
【０００６】
本発明は斯かる事情に鑑みてなされたものであり、その主たる目的は、美観を向上させることができ、ペットが通行口をスムーズに通り抜けることができるドア及びドア装置を提供することにある。
【課題を解決するための手段】
【０００７】
本実施の形態に係るドアは、ペットが通り抜け可能な矩形状の通行口が設けられているドア本体と、前記通行口の上縁に沿う枢軸周りに揺動し、前記通行口を開閉する小扉と、該小扉を施錠するための施錠機構とを備えるドアにおいて、前記施錠機構は、前記小扉から前記ドア本体の一面に沿う横方向に出没可能に前記小扉の内部に組み込まれている棒状体と、前記小扉が閉じている場合の該小扉の下端から前記小扉の一面に沿う方向に突出するよう前記棒状体に突設されており、該棒状体を出没させる場合に操作される操作突起と、前記小扉が閉じている場合に前記棒状体が対向する前記ドア本体の一部に設けられており、前記棒状体の前記小扉からの突出部分が挿脱されるロック穴とを有し、前記突出部分が前記ロック穴に挿入されることによって前記小扉が施錠されることを特徴とする。
【０００８】
本実施の形態に係るドアは、前記小扉は、可撓性を有し、通行口の縦長さ及び横幅と同程度の縦長さ及び横幅を有するシートと、夫々の一面が互いに対向しており、夫々の前記一面の一部の間に、前記小扉が閉じている場合の前記シートの下部を挟むようにして前記シートに取り付けられ、夫々の前記一面の他部の間に前記棒状体が配されている２枚の取付板と、該取付板の前記他部に設けられており、前記横方向に延びる案内溝とを備え、前記棒状体は、前記案内溝に摺動可能に支持されている案内突起を備え、２枚の前記取付板の間から前記操作突起が突出していることを特徴とする。
【０００９】
本実施の形態に係るドアは、前記小扉は、前記取付板の他面及び前記小扉が閉じている場合の前記取付板の上端面に亘って前記取付板を覆う化粧部材を更に備えることを特徴とする。
【００１０】
本実施の形態に係るドア装置は、人間が通り抜け可能な出入口が設けられている壁体、及び本実施の形態に係るドアを備え、前記ドア本体は、前記出入口を開閉可能に前記壁体に取り付けられているドア装置であって、前記小扉が閉じている場合の該小扉の下側に、前記操作突起の前記横方向の両側に指を挿入することが可能な空間が設けられていることを特徴とする。
【００１１】
本実施の形態にあっては、棒状体が小扉の内部に組み込まれており、ロック穴が、小扉が閉じている場合に棒状体が対向するドア本体の一部に設けられている。故に、棒状体及びロック穴が目立たない。従って、ドアの美観を向上させることができる。
【００１２】
また、操作突起は、小扉が閉じている場合の小扉の下端から小扉の一面に沿う方向に突出する。故に、操作突起は、小扉を押し開けて通行口を通り抜けるペットに向けて突出せず、小扉が閉じている場合には小扉の下端から下向きに突出する。従って、操作突起はペットの通り抜けを阻害しない。たとえペットが首輪又は衣類等の物品を身に着けていたとしても、ペットが身に着けている物品に操作突起が引っ掛かることが抑制される。以上の結果、ペットが通行口をスムーズに通り抜けることができる。
【００１３】
本実施の形態にあっては、小扉を構成するシートが可撓性を有する。故に、ペットが小扉を押し開けて通行口を通り抜けている場合に、小扉がペットの体形に沿って撓む。従って、ペットが通行口をよりスムーズに通り抜けることができる。
棒状体は、小扉を構成する２枚の取付板の間に配される。棒状体が有する案内突起が、取付板に設けられている案内溝に支持されることによって、棒状体は小扉の内部に組み込まれる。また、案内突起が、ドア本体の一面に沿う横方向に延びる案内溝に摺動することによって、棒状体の横方向の出没が案内される。
操作突起は、２枚の取付板の間に形成される空隙から突出している。この空隙は、小扉が閉じている場合は下向きに開口する。故に、操作突起が突出している空隙が目立たないので、ドアの美観を向上させることができる。
【００１４】
本実施の形態にあっては、化粧部材が取付板を覆うので、ドアの美観を向上させることができる。
【００１５】
本実施の形態にあっては、小扉を施錠する場合、使用者は、小扉が閉じているときに、小扉の下側の空間に指を挿入し、横方向に指を動かして操作突起に触れる。操作突起に触れた使用者は、横方向の外力を操作突起に加える。すると、操作突起が横方向に移動すると共に、棒状体が小扉から横方向に突出する。小扉が閉じているときには棒状体とロック穴とが対向するので、棒状体の小扉からの突出部分がロック穴に挿入される。この結果、小扉が施錠される。
【００１６】
使用者は横方向に指を動かすので、小扉の一面に向かう方向の外力（即ち小扉を押し開ける方向の外力）が操作突起に加わることが抑制される。故に、操作突起に触れた使用者が小扉を誤って開けてしまうことが抑制される。従って、小扉が開いて棒状体とロック穴とが対向しなくなり、小扉を施錠できなくなることが抑制される。
【発明の効果】
【００１７】
本実施の形態のドア及びドア装置による場合、ドア及びドア装置の美観を向上させることができる。また、ペットが通行口をスムーズに通り抜けることができる。
【図面の簡単な説明】
【００１８】
【図１】実施の形態に係るドア装置が備えるドアを示す正面図である。
【図２】ドアの小扉近傍を示す正面図である。
【図３】ドアの通行口を通り抜けるペットを示す側面図である。
【図４】小扉の下部の近傍を示す側面図である。
【図５】小扉の下部の近傍を示す一の断面図である。
【図６】小扉の下部の近傍を示す他の断面図である。
【発明を実施するための形態】
【００１９】
以下、本発明を、その実施の形態を示す図面に基づいて詳述する。
【００２０】
図１は、実施の形態に係るドア装置が備えるドアを示す正面図である。
図２は、ドアの小扉近傍を示す正面図である。
図中１はドア装置である。ドア装置１は、壁体１１及びドア２を備える。ドア２は、ドア本体２１及び小扉３を備える。
壁体１１は床１２に垂直であり、例えば部屋と廊下とを仕切る。壁体１１の下部には、出入口１１１が設けられている。出入口１１１は、上下方向に長い矩形状をなす。出入口１１１は三方枠１１２によって縁取られている。三方枠１１２に縁取られた出入口１１１は、人間が通り抜け可能な縦長さ及び横幅を有する。出入口１１１の上縁及び両側縁は三方枠１１２によって構成されており、出入口１１１の下縁は、床１２によって構成されている。
【００２１】
ドア本体２１は、一方向に長い矩形板状をなす。ドア本体２１は、例えばフラッシュ構造を有する。ドア本体２１は、ドア本体２１の長手方向を上下に向け、出入口１１１を開閉可能に、壁体１１に取り付けられている。以下では、ドア本体２１の一面（非端面）に向かって手前側及び奥側を前側及び後側という。また、ドア本体２１の一面に向かって左側及び右側を左側及び右側という。ドア本体２１の一面に沿う横方向とは、左右方向のことである。
【００２２】
ドア本体２１の前面には取っ手２１１が取り付けられている。取っ手２１１は、ドア本体２１の左辺部の中央部に配されている。同様に、ドア本体２１の後面にも取っ手２１１が取り付けられている（不図示）。
ドア本体２１は開き戸である。ドア本体２１の右辺部と、三方枠１１２が有する右側の縦枠とは、２つの蝶番１３，１３によって連結されている。蝶番１３，１３は上下方向に互いに離隔している。ドア本体２１の下端面と床１２とは適長離隔しているが、ドア本体２１の下端面と床１２との間に人間の指は入らない。
なお、ドア本体２１は開き戸に限定されず、例えば引き戸でもよい。また、出入口１１１は矩形枠によって縁取られていてもよい。
【００２３】
ドア本体２１の下辺部には、上下方向に長い矩形状の通行口２１２が設けられている。通行口２１２は切り欠き状をなし、通行口２１２の下部は開放されている。通行口２１２は、枠体２１３によって縁取られている。
枠体２１３は、１本の短い横枠２１ａ及び２本の長い縦枠２１ｂ，２１ｂを備える三方枠である。横枠２１ａは、通行口２１２の上縁を縁取り、縦枠２１ｂ，２１ｂは、通行口２１２の左右両縁を縁取る。通行口２１２の下縁は縁取られていない。
枠体２１３に縁取られた通行口２１２は、ペットが通り抜け可能な縦長さ及び横幅を有する。
図３は、ドア２の通行口２１２を通り抜けるペットを示す側面図である。
【００２４】
図１〜図３に示す小扉３は、シート３１、取付部材３２、及び２枚の取付板３３，３３を備える。
シート３１は一方向に長い矩形状をなす。シート３１の縦長さ及び横幅は、通行口２１２の縦長さ及び横幅と同程度である。シート３１は可撓性を有する。また、シート３１は透光性を有していることが望ましい。シート３１は例えば合成樹脂製である。
小扉３は、後述するように、シート３１の短手方向が左右方向に沿い、シート３１の一方の短辺部が他方の短辺部よりも上側に位置するようにして、ドア本体２１に取り付けられる。以下では、シート３１の一方／他方の短辺部を上辺部／下辺部という。
【００２５】
取付部材３２は、シート３１の上辺部に取り付けられている。取付部材３２はシート３１の両面の上辺部を、左右方向の全長に亘って覆う。取付部材３２はシート３１よりも剛性が高く、例えば金属製である。
取付部材３２は、２本の枢軸３２１，３２１を有する。各枢軸３２１は円柱状をなし、例えば金属製である。枢軸３２１，３２１は、取付部材３２の左右方向の両端部から、互いに相反する外向きに突出している。
【００２６】
小扉３をドア本体２１に取り付けるために、枠体２１３の各縦枠２１ｂの上端部に、貫通孔２１４が設けられている。貫通孔２１４は、縦枠２１ｂの内周に開口しており、縦枠２１ｂを左右方向に貫通している。縦枠２１ｂ，２１ｂの貫通孔２１４，２１４には、小扉３の枢軸３２１，３２１の先端部が、軸心を中心に回転可能に挿入されている。貫通孔２１４，２１４に挿入された枢軸３２１，３２１夫々は、通行口２１２の上縁に沿う。
【００２７】
各枢軸３２１の非先端部には筒状のスペーサ３２２が外嵌めされていることが望ましい。２つのスペーサ３２２，３２２は、取付部材３２と枠体２１３の縦枠２１ｂ，２１ｂとの間に介在している。故に、小扉３が左右方向に位置ずれする虞はない。スペーサ３２２は、例えば合成ゴム製である。図３ではスペーサ３２２の図示が省略されている。
【００２８】
以上の結果、小扉３は、枢軸３２１，３２１周りに前後方向に揺動可能に、ドア本体２１の枠体２１３に支持されている。小扉３は、小扉３に前後方向の外力が加わることによって揺動し、通行口２１２を開閉する。小扉３に外力が加わらない場合、小扉３は自然に通行口２１２を閉鎖する。小扉３が閉じている場合、小扉３の厚み方向は前後方向に沿う。また、小扉３の左辺部及び右辺部は枠体２１３の縦枠２１ｂ，２１ｂと左右方向に隣り合う。図１及び図２に示す小扉３は閉じている。
ペットは、小扉３を押し開けて通行口２１２を通り抜ける。ペットの通り抜け後、小扉３は自然に閉じる。
以下では、小扉３が閉じているものとして小扉３に関する上下方向及び前後方向を述べる。小扉３の上下方向は、小扉３の一面に沿う方向である。
【００２９】
図４は、小扉３の下部の近傍を示す側面図である。ただし、図を分かり易くするために、シート３１、並びに各後述する鉄板３３４及び化粧部材３３５には、次の図５で示すシート３１、鉄板３３４、及び化粧部材３３５のハッチングと同じハッチングが付されている。
図５は、小扉３の下部の近傍を示す一の断面図であり、小扉３の左右方向の中途を切断した断面を示す。
図６は、小扉３の下部の近傍を示す他の断面図であり、小扉３の前後方向の中途を切断した断面を示す。
図６に示すように、シート３１の下側且つ左右両側の２つの隅部は、矩形状に欠落している。以下では、シート３１の隅部が欠落した部分を欠落部分３１１という。
【００３０】
図４〜図６に示す各取付板３３は、一方向に長い矩形板状をなす。取付板３３の長手方向の長さは、シート３１の左右方向の長さと同程度である。
取付板３３の一面（非端面）における長手方向の両端部には、２つの凹部３３１，３３１が設けられている。
以下では、取付板３３の、凹部３３１，３３１が設けられている面を対向面という。
【００３１】
凹部３３１，３３１夫々は矩形状をなす。また、凹部３３１，３３１夫々は、取付板３３の短手方向の両端面の内、同一の一端面に亘る。更に、各凹部３３１は、取付板３３の長手方向の両端面の内、凹部３３１に近い方の端面に亘る。
凹部３３１の底面は、取付板３３の対向面に平行である。凹部３３１の底面には、取付板３３の長手方向に延びる案内溝３３２が設けられている。本実施の形態の案内溝３３２は、取付板３３を厚み方向に貫通している。
以下では、取付板３３の短手方向の両端面の内、凹部３３１，３３１が開口している端面を下端面といい、下端面の逆側の端面を上端面という。
【００３２】
取付板３３，３３は、夫々の長手方向が左右方向に沿い、夫々の対向面が互いに対向し、夫々の上端面がシート３１の上辺部に向くように、シート３１の下辺部に取り付けられている。シート３１の下辺部は、取付板３３，３３夫々の対向面における長手方向の中央部の間に挟まれている。シート３１と取付板３３，３３とは、取付板３３，３３の一方、シート３１の下辺部、及び取付板３３，３３の他方をこの順に貫通する皿ネジ３３３によって互いに固定されている。本実施の形態では、２個の皿ネジ３３３，３３３が左右方向に離隔配置されている。
【００３３】
取付板３３，３３は、シート３１の欠落部分３１１，３１１を部分的に覆う。
取付板３３，３３の左端部に位置する凹部３３１，３３１は、シート３１の左下隅の欠落部分３１１を通して、前後方向に互いに対向している。同様に、取付板３３，３３の右端部に位置する凹部３３１，３３１は、シート３１の右下隅の欠落部分３１１を通して互いに対向している。対向し合う凹部３３１，３３１の案内溝３３２，３３２は、前後方向に互いに対向する。各案内溝３３２は左右方向に延びる。
【００３４】
小扉３は、２枚の鉄板３３４，３３４及び２つの化粧部材３３５，３３５を更に備える。
各鉄板３３４はシート３１と同程度の厚みを有する矩形板状をなす。一方の鉄板３３４は、シート３１の左下隅の欠落部分３１１を通して、取付板３３，３３夫々の対向面における左端部の間に挟まれている。同様に、他方の鉄板３３４は、シート３１の右下隅の欠落部分３１１を通して、取付板３３，３３夫々の対向面における右端部の間に挟まれている。各鉄板３３４は、凹部３３１，３３１の上側に位置しており、取付板３３，３３の上端面を超えて突出している。
【００３５】
各化粧部材３３５は一方向に長い板状をなす。化粧部材３３５の一面（非端面）には凹部３３６が設けられている。凹部３３６は、化粧部材３３５の長手方向の全長に亘り、且つ化粧部材３３５の短手方向の一端面に亘る。化粧部材３３５は、凹部３３６が取付板３３で埋まるようにして、取付板３３に取り付けられる（例えば両面テープで接着される）。
化粧部材３３５は、取付板３３の対向面の逆側の面及び上端面に亘って取付板３３を覆う。化粧部材３３５，３３５によって取付板３３，３３が目隠しされるので、案内溝３３２，２３２又は皿ネジ３３３，３３３等は人目に付かない。また、化粧部材３３５は、シート３１の欠落部分３１１，３１１及び鉄板３３４，３３４も覆う。
図２における鉄板３３４及び化粧部材３３５，３３５の図示は省略されている。
【００３６】
小扉３を施錠するために、ドア２は施錠機構４を更に備える。施錠機構４は、小扉３の下部の近傍に配されている。
図２〜図６に示す施錠機構４は、２本の棒状体４１，４１及び２つのロック穴４２，４２を備える。
各棒状体４１は、一方向に長い矩形断面を有する直棒状をなす。棒状体４１は操作突起４１１及び２つの案内突起４１２，４１２を有する。
以下では、棒状体４１の断面の短手方向を棒状体４１の厚み方向という。
【００３７】
操作突起４１１は板状をなす。操作突起４１１は、操作突起４１１の両面が棒状体４１の厚み方向の両側面に面一になるように、棒状体４１の長手方向の一端部から、棒状体４１に垂直に突出している。操作突起４１１は、後述するように棒状体４１を出没させる場合に、使用者（例えばペットの飼い主）によって操作される。
【００３８】
各案内突起４１２は、円形断面を有する直棒状をなす。棒状体４１の長手方向の中央部から棒状体４１に垂直に突出している。案内突起４１２，４１２は互いに相反する方向に突出している。案内突起４１２，４１２を棒状体４１に設けるために、棒状体４１の長手方向の中央部に貫通孔が形成され、この貫通孔に、１本の棒材が、棒状体４１から棒状体４１の厚み方向の両側に突出するように嵌め込まれる。この棒材の一端側の部分及び他端側の部分が案内突起４１２，４１２である。
【００３９】
取付板３３，３３が小扉３の下辺部に取り付けられる場合に、棒状体４１，４１が取付板３３，３３の左右方向の両端部に取り付けられる。
１つの棒状体４１は、１組の対向し合う凹部３３１，３３１の内部に配される。このとき、棒状体４１の案内突起４１２，４１２は、取付板３３，３３の案内溝３３２，３３２に挿入される。案内突起４１２，４１２が案内溝３３２，３３２に摺動可能に支持されることによって、棒状体４１は、左右方向に移動可能に取付板３３，３３に支持される。
以上のようにして、棒状体４１，４１は、小扉３の内部に組み込まれる。
【００４０】
棒状体４１の操作突起４１１は、取付板３３，３３の間から取付板３３，３３の下端面を超えて下方向に突出している。つまり、操作突起４１１は、小扉３の下端から小扉３の一面に沿う方向に突出するよう、棒状体４１に突設されている。
各操作突起４１１の最下端位置は、ドア本体２１の最下端位置よりも上側である。故に、操作突起４１１が床１２に接触する虞はない。
なお、操作突起４１１が床１２に接触しないのであれば、操作突起４１１の最下端位置はドア本体２１の最下端位置以下でもよい。
【００４１】
小扉３の下側には、操作突起４１１，４１１を操作するための空間（以下、操作用空間という）が設けられている。操作用空間は、床１２と枠体２１３の縦枠２１ｂ，２１ｂと小扉３とに囲まれた空間であり、操作突起４１１，４１１夫々の左右方向の両側に人間の指を挿入することが可能な空間である。
【００４２】
左側の棒状体４１において、操作突起４１１に左方向の外力が加えられた場合、操作突起４１１が左方向に移動すると共に、案内突起４１２，４１２が案内溝３３２，３３２に案内されて左方向に摺動するので、棒状体４１の案内突起４１２，４１２よりも左側の部分が、取付板３３，３３の間から取付板３３，３３の左端面を超えて突出する。案内突起４１２，４１２が案内溝３３２，３３２の左端面に接触したとき、棒状体４１の左方向への突出が規制される。
【００４３】
一方、左側の棒状体４１において、操作突起４１１に右方向の外力が加えられた場合、操作突起４１１が右方向に移動すると共に、案内突起４１２，４１２が案内溝３３２，３３２に案内されて右方向に摺動するので、棒状体４１が取付板３３，３３の間に没入する。棒状体４１の全体が取付板３３，３３の間に没入したとき、棒状体４１の右端部が凹部３３１，３３１の右内面に接触する。故に、棒状体４１の右方向への移動が規制される。
【００４４】
即ち、左側の棒状体４１は、小扉３から左方向に突出し、小扉３に右方向に没入する。同様に、右側の棒状体４１は、小扉３から右方向に突出し、小扉３に左方向に没入する。
図２及び図６に示す左側の棒状体４１は取付板３３，３３の間に完全に没入しており、右側の棒状体４１は取付板３３，３３の間から最大限に突出している。
【００４５】
小扉３が閉じている場合、左側の棒状体４１及び鉄板３３４は、枠体２１３の左側の縦枠２１ｂに対向し、右側の棒状体４１及び鉄板３３４は、枠体２１３の右側の縦枠２１ｂに対向する。
各縦枠２１ｂの棒状体４１が対向する部分には、ロック穴４２が設けられている。ロック穴４２は、縦枠２１ｂの内周に開口しており、縦枠２１ｂを左右方向に貫通している。
【００４６】
小扉３が閉じている場合、小扉３から棒状体４１が突出したとき、棒状体４１の小扉３からの突出部分はロック穴４２に挿入される。
小扉３が開いている場合、棒状体４１とロック穴４２とは対向しないので、小扉３から棒状体４１が突出したとしても、棒状体４１がロック穴４２に挿入されることはない。
【００４７】
各縦枠２１ｂの鉄板３３４が対向する部分には、磁石２２が嵌め込まれた貫通孔が設けられている。この貫通孔は縦枠２１ｂの内周に開口しており、縦枠２１ｂを左右方向に貫通している。
小扉３の鉄板３３４，３３４は、枠体２１３の磁石２２，２２に引き付けられる。故に、小扉３の揺動は短時間で終息する。また、例えばドア本体２１の開閉に伴って小扉３が無用に揺動することが抑制される。
【００４８】
以下では、左側の棒状体４１を例示して説明する。右側の棒状体４１の操作及び動作は、左側の棒状体４１の操作及び動作の左右逆である。
小扉３を施錠する場合、使用者は、小扉３が閉じているときに、操作用空間における操作突起４１１の右側に指を挿入し、左方向に指を動かして操作突起４１１に触れる。操作突起４１１に触れた使用者は、左方向の外力を操作突起４１１に加える。すると、操作突起４１１が左方向に移動すると共に、棒状体４１が小扉３から左方向に突出する。小扉３が閉じているときには棒状体４１とロック穴４２とが対向するので、棒状体４１の小扉３からの突出部分がロック穴４２に挿入される。
【００４９】
少なくとも１つの棒状体４１がロック穴４２に挿入されることによって、小扉３の揺動が規制される。即ち、小扉３が施錠される。棒状体４１，４１の両方がロック穴４２，４２に挿入された場合、小扉３は更に確実に施錠される。
小扉３を施錠する場合、使用者は左右方向に指を動かすので、前後方向の外力（即ち小扉３を押し開ける方向の外力）が操作突起４１１に加わることが抑制される。故に、操作突起４１１に触れた使用者が小扉３を誤って開けてしまうことが抑制される。従って、小扉３が開いて棒状体４１とロック穴４２とが対向しなくなり、小扉３を施錠できなくなることが抑制される。
【００５０】
小扉３を解錠する場合、使用者は、操作用空間における操作突起４１１の左側に指を挿入し、右方向の外力を操作突起４１１に加える。すると、操作突起４１１が右方向に移動すると共に、棒状体４１が小扉３に右方向に没入するので、棒状体４１の小扉３からの突出部分がロック穴４２から抜脱される。
棒状体４１，４１の両方がロック穴４２，４２から抜脱されることによって、小扉３の揺動の規制が解除される。即ち、小扉３が解錠される。
【００５１】
以上のようなドア２にあっては、棒状体４１，４１が小扉３の内部に組み込まれており、ロック穴４２，４２が、小扉３が閉じている場合に棒状体４１，４１が対向するドア本体２１の一部に設けられている。故に、棒状体４１，４１及びロック穴４２，４２が目立たない。
また、棒状体４１の操作突起４１１は、２枚の取付板３３，３３の間に形成される空隙から突出している。この空隙は、小扉３が閉じている場合は下向きに開口する。故に、操作突起４１１が突出している空隙が目立たない。
更に、化粧部材３３５，３３５が小扉３の下部を覆うので、シート３１の欠落部分３１１，３１１、取付板３３，３３、及び鉄板３３４，３３４等が目隠しされる。
以上の結果、ドア２の美観を向上させることができる。
【００５２】
操作突起４１１，４１１夫々は、小扉３が閉じている場合の小扉３の下端から小扉３の一面に沿う方向に突出する。故に、操作突起４１１，４１１夫々は、小扉３を押し開けて通行口２１２を通り抜けるペットに向けて突出せず、小扉３が閉じている場合には小扉３の下端から下向きに突出する。従って、操作突起４１１，４１１夫々はペットの通り抜けを阻害しない。たとえペットが首輪又は衣類等の物品を身に着けていたとしても、ペットが身に着けている物品に操作突起４１１が引っ掛かることが抑制される。
また、小扉３のシート３１は可撓性を有する。故に、ペットが小扉３を押し開けて通行口２１２を通り抜けている場合に、小扉３がペットの体形に沿って撓む。
以上の結果、ペットが通行口２１２をスムーズに通り抜けることができる。
【００５３】
本実施の形態においては、通行口２１２の下部が開放されているので、サイズが小さいペット又は運動能力が劣るペット等であっても、通行口２１２を容易に通り抜けることができる。
なお、通行口２１２は、通行口２１２の下部が開放されている構成に限定されず、例えば通行口２１２の全周が閉鎖されている構成でもよい。
また、通行口２１２は、ドア本体２１の長辺部に設けられてもよい。通行口２１２が、ドア本体２１の戸先側の長辺部に設けられた切り欠き状をなす場合、枠体２１３の戸先側の縦枠２１ｂは、枢軸３２１を支持する部分以外を省略され、戸先側の棒状体４１が挿脱されるロック穴４２は、棒状体４１が対向する壁体１１の一部（例えば三方枠１１２が有する戸先側の縦枠）に設けられることが望ましい。戸先側のロック穴４２が壁体１１に設けられる場合、ドア本体２１は引き戸であることが望ましい。
【００５４】
小扉３は、シート３１及び取付板３３，３３を備える構成に限定されず、例えばフラッシュ構造を有する板状部材でもよい。この場合も、棒状体４１が小扉３から左右方向に出没可能に小扉３の内部に組み込まれており、小扉３の下端から小扉３の一面に沿う方向に操作突起４１１が突出していればよい。
【００５５】
今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。
【符号の説明】
【００５６】
１      ドア装置
１１    壁体
１１１  出入口
２      ドア
２１    ドア本体
２１２  通行口
２１３  枠体（ドア本体の一部）
３      小扉
３１    シート
３２１  枢軸
３３    取付板
３３２  案内溝
３３５  化粧部材
４      施錠機構
４１    棒状体
４１１  操作突起
４１２  案内突起
４２    ロック穴
【図１】
2018168572.tif 000003
【図２】
2018168572.tif 000004
【図３】
2018168572.tif 000005
【図４】
2018168572.tif 000006
【図５】
2018168572.tif 000007
【図６】
2018168572.tif 000008